(57)【要約】【課題】基板の防水を確実に行えるようにした空調装置を提供する。【解決手段】空調装置１Ａは、空気を吸い込んで吹き出す送風装置１０と、送風装置１０を覆う本体ケース２と、本体ケース２の天板７０を開口して形成され、配線部材９５を外部へ取り出す配線口７４ｂを備える。また、基板４が収納されると共に、配線口７４ｂから本体ケース２の外部に取り出され、基板４と接続される配線部材９５が通る配線導入部８６が上面に形成された基板ボックス３を備える。本体ケース２は、基板ボックス３の配線導入部８６が形成された上面を、本体ケース２の外部へ露出させた形態で基板ボックス３が収納される基板ボックス取り付け部７２を備える。【選択図】        図１
2008107037.tif 000002
【特許請求の範囲】
【請求項１】
空気を吸い込んで吹き出す送風手段と、
前記送風手段を覆う本体ケースと、
前記本体ケースの天板の一部を開口して形成され、前記送風手段と接続される配線部材を前記本体ケースの外部へ取り出す配線取り出し口と、
底面及び側面が塞がれた収納空間に、前記送風手段を制御する基板が収納されると共に、前記配線取り出し口から前記本体ケースの外部に取り出され、前記基板と接続される前記配線部材が通る導入部が上部に形成された基板収納箱と、
前記本体ケースの天板の一部を開口して形成され、前記基板収納箱の前記導入部が形成された上部を前記本体ケースの外部へ露出させて前記基板収納箱が収納される基板収納箱収納部と
を備えたことを特徴とする空調装置。
【請求項２】
前記基板収納箱収納部に収納された前記基板収納箱を前記本体ケースに取り付ける基板収納箱取り付け部と、前記基板収納箱と前記本体ケースとの合わせ面に配置されるシール部材と
を備えたことを特徴とする請求項１記載の空調装置。
【請求項３】
前記導入部は、前記基板収納箱の前記収納空間と、前記本体ケースの外部に露出した前記基板収納箱の外部とを連通して空気が通る空間が形成される
ことを特徴とする請求項１または２記載の空調装置。
【請求項４】
前記基板収納箱は、前記本体ケースに形成された前記配線取り出し口に面して水切り部材を備えた
ことを特徴とする請求項１，２または３記載の空調装置。
【発明の詳細な説明】
【技術分野】
【０００１】
本発明は、空気を吸い込んで吹き出す送風装置を駆動する基板を有した換気装置や暖房装置等の空調装置に関する。
【背景技術】
【０００２】
従来より、浴室等から空気を吸い込み、屋外へ排出する換気機能と、浴室等から空気を吸い込み、温風等を吹き出して暖房等を行う機能を備えた浴室用の空調装置が提案されている。
【０００３】
このような浴室用の空調装置では、ファンを覆う本体ケースの内部に、ファン等を駆動する基板を収納した基板ボックスが取り付けられ、基板ボックス内の基板と、ファンのモータ等が配線部材で接続されている（例えば、特許文献１参照）。
【０００４】
【特許文献１】特開２００４−５３１９７号公報（第１図）
【発明の開示】
【発明が解決しようとする課題】
【０００５】
浴室用の空調装置は、本体ケースの内部がフロントパネルのグリルを介して浴室とつながっており、本体ケースの内部に湿気が浸入する。このため、基板を基板ボックスに収納して防水対策を施している。
【０００６】
しかし、基板ボックスには、配線部材を通すための開口が必要であり、基板ボックスを本体ケース内に収納した構成の空調装置では、基板ボックス内に湿気や水分が浸入するおそれがあった。
【０００７】
本発明は、このような課題を解決するためになされたもので、基板の防水を確実に行えるようにした空調装置を提供することを目的とする。
【課題を解決するための手段】
【０００８】
上述した課題を解決するため、本発明の空調装置は、空気を吸い込んで吹き出す送風手段と、送風手段を覆う本体ケースと、本体ケースの天板の一部を開口して形成され、送風手段と接続される配線部材を本体ケースの外部へ取り出す配線取り出し口と、底面及び側面が塞がれた収納空間に、送風手段を制御する基板が収納されると共に、配線取り出し口から本体ケースの外部に取り出され、基板と接続される配線部材が通る導入部が上部に形成された基板収納箱と、本体ケースの天板の一部を開口して形成され、基板収納箱の導入部が形成された上部を本体ケースの外部へ露出させて基板収納箱が収納される基板収納箱収納部とを備えたことを特徴とする。
【０００９】
本発明の空調装置では、送風装置を制御する基板は基板収納箱に収納され、基板収納箱は、配線部材が通る導入部を本体ケースの外部に露出させて、本体ケース内に収納される。
【００１０】
送風装置と接続された配線部材は、配線取り出し口から本体ケースの外部に取り出され、基板収納箱の導入部から収納空間に導入されて、基板に接続される。そして、基板収納箱の導入部は、本体ケースの外部に露出しているので、基板収納箱を本体ケース内に収納した形態で、基板収納箱を本体ケースの内部と直接連通させずに、本体ケース内の送風装置と基板収納箱内の基板が配線部材で接続される。
【発明の効果】
【００１１】
本発明の空調装置によれば、基板収納箱が本体ケースの内部と直接連通しないので、本体ケース内からの湿気が基板収納箱内に浸入することを防ぐことができる。
【発明を実施するための最良の形態】
【００１２】
以下、図面を参照して本発明の空調装置の実施の形態について説明する。
【００１３】
＜本実施の形態の空調装置の構成例＞
図１は、本実施の形態の空調装置の一例を示す分解斜視図、図２は、本実施の形態の空調装置の一例を示す側断面図である。
【００１４】
本実施の形態の空調装置１Ａは、送風装置１０と、送風装置１０を覆って風路を形成する本体ケース２を備える。また、空調装置１Ａは、本体ケース２に取り付けられる基板ボックス３を備え、基板ボックス３に送風装置１０を制御する基板４が収納される。
【００１５】
送風装置１０は、浴室等の室内の空気を吸い込んで屋外に排気する換気機能と、室内の空気を循環させながら、温風等を吹き出す循環機能を備え、本例では、換気ファンユニット１２と循環ファンユニット１３を備える。
【００１６】
換気ファンユニット１２は、多翼の遠心羽根車で構成されるファン２０と、ファン２０を回転駆動する換気ファンモータ２０ａと、風路を形成する換気ファンケース２１とを備える。
【００１７】
換気ファンユニット１２は、ファン２０の軸方向に沿った換気ファンケース２１の上面にファン吸込口２１ａを備えると共に、ファン２０の接線方向に沿って一の側部にファン吹出口２１ｂを備える。
【００１８】
これにより、換気ファンユニット１２は、ファン２０が回転駆動されると、換気ファンケース２１のファン吸込口２１ａから空気が吸い込まれ、ファン吸込口２１ａから吸い込まれた空気がファン吹出口２１ｂから吹き出される。
【００１９】
循環ファンユニット３は、多翼の遠心羽根車で構成されるファン３０と、ファン３０を回転駆動する循環ファンモータ３０ａと、風路を形成する循環ファンケース３１とを備える。
【００２０】
循環ファンユニット１３は、循環ファンケース３１の開口した下面に下カバー３４が取り付けられ、ファン３０の軸方向に沿った下カバー３４にファン吸込口３１ａが形成されると共に、ファン３０の接線方向に沿って一の側部にファン吹出口３１ｂを備える。また、循環ファンユニット１３は、ファン吹出口３１ｂとつながる吹出口風路３５が一体に形成される。
【００２１】
吹出口風路３５は、ファン３０が回転駆動されることでファン吸込口３１ａから吸い込まれ、ファン３０の接線方向にファン吹出口３１ｂから吹き出される空気を、下方に向けて吹き出す風路を形成する。
【００２２】
循環ファンユニット１３は、吹出口風路３５に空気を加熱するヒータ３６を備えると共に、空気の吹き出し方向を切り替える電動ルーバ３７を吹出口３８に備え、ファン３０が回転駆動されることでファン吸込口３１ａから吸い込まれる空気がヒータ３６で加熱され、電動ルーバ３７で所定の方向に吹き出される。
【００２３】
空調装置１Ａは、循環ファンユニット１３の循環ファンケース３１に吸込口５を備える。吸込口５は、循環ファンケース３１により形成される風路と独立して循環ファンケース３１の外側に形成される。空調装置１Ａは、吸込口５に図示しないダンパを備え、吸込口５を開閉することで、吸込口５からの空気の取り入れの有無が切り替えられる。
【００２４】
空調装置１Ａは、循環ファンケース３１の下部にフロントパネル６が取り付けられる。フロントパネル６は、循環ファンユニット３のファン吸込口３１ｂと、吸込口４と対向して吸込グリル６０が形成され、吸込グリル６０の内側に、図示しないフィルタが着脱できるように取り付けられる。
【００２５】
また、フロントパネル６は、循環ファンユニット３の吹出口３８が露出する吹出グリル６１が形成される。
【００２６】
本体ケース２は略直方体形状で、上面を覆う天板７０と、４側面を覆う側板７１を備え、換気ファンケース２１及び循環ファンケース３１にネジ９０で取り付けられる。
【００２７】
空調装置１Ａは、本体ケース２が換気ファンケース２１及び循環ファンケース３１に取り付けられると、換気ファンケース２１及び循環ファンケース３１の外周部と、本体ケース２の角部の内面との間に、上下方向に延びる空間が形成される。これにより、吸込口５と、換気ファンユニット２のファン吸込口２１ａと連通した主吸込風路５０ａが形成される。
【００２８】
空調装置１Ａは、本体ケース２の一の側板７１に、換気ファンユニット１２のファン吹出口２１ｂと連通した排気口５１を備える。また、本体ケース２の他の側板７１に副吸込口５２を備える。これにより、空調装置１Ａは、副吸込口５２から、換気ファンユニット１２のファン吸込口２１ａと連通した副吸込風路５０ｂが形成される。
【００２９】
空調装置１Ａは、換気ファンユニット１２と、本体ケース２の３面の側板７１に囲まれた本体ケース２の上面に、基板ボックス取り付け部７２を備える。
【００３０】
基板ボックス取り付け部７２は基板収納箱収納部の一例で、本体ケース２の天板７０を所定の形状に開口して形成され、基板収納箱取り付け部を構成する基板ボックス載置面７３と、基板ボックス載置面７３に形成されるネジ孔７３ａを備える。
【００３１】
また、本体ケース２は、天板７０と基板ボックス取り付け部７２との間に、天板７０から基板ボックス取り付け部７２に向けて下り勾配となっている傾斜天板７４を備え、傾斜天板７４にネジ孔７４ａと配線口７４ｂを備える。配線口７４ｂは配線取り出し部の一例で、傾斜天板７４を貫通して、本体ケース２の外部と内部を連通する。
【００３２】
基板ボックス３は基板収納箱の一例で、基板４が取り付けられる図示しない底板と、底板の４側面を覆う側板８０を有して、底面及び側面が塞がれると共に、上面に開口部８１を備えた収納空間８２が形成され、収納空間８２に基板４が収納される。
【００３３】
また、基板ボックス３は、４側面を構成する各側板８０の上部を、開口部８１の周囲から側方に突出させて載置部８３が形成され、本体ケース２側のネジ孔７３ａと対応する位置の載置部８３に取り付け孔８３ａが形成される。
【００３４】
更に、基板ボックス３は、傾斜天板７４に面した側の辺の全幅に亘って、載置部８３から立設した水切り部材としての水切り板８４を備えると共に、傾斜天板７４に形成されたねじ穴７４ａと対応する位置に取り付け片部８５を備える。
【００３５】
また、基板ボックス３は、開口部８１に配線導入部８６を備える。配線導入部８６は導入部の一例で、基板ボックス３を本体ケース２の基板ボックス取り付け部７２に取り付けた際に、傾斜端面７４に形成された配線口７４ｂと対向する位置の上面を開口して形成される。
【００３６】
ここで、基板ボックス３は樹脂材料で構成され、上述した各構成要素が一体に成形されており、底面及び側面から収納空間８２内に湿気が浸入しない構成である。
【００３７】
また、基板ボックス３の外形と、本体ケース２の基板ボックス取り付け部７２の形状がほぼ合致する形状で、基板ボックス取り付け部７２に基板ボックス３を収納すると、基板ボックス３が位置決めされる。
【００３８】
そして、基板ボックス３の載置部８３が、基板ボックス取り付け部７２の基板ボックス載置面７３に載置され、基板ボックス３の取り付け孔８３ａが、本体ケース２のネジ孔７３ａに位置合わせされる。
【００３９】
また、基板ボックス３の取り付け片部８５が、本体ケース２の傾斜天板７４に載置され、本体ケース２のネジ孔７４ａに位置合わせされる。
【００４０】
基板ボックス３は、開口部８１に上面カバー８７が取り付けられる。上面カバー８７は、基板ボックス３の開口部８１の全体を覆う形状を有し、基板ボックス３の配線導入部８６と対向する位置に開口部８７ａを備える。また、基板ボックス３内から外部へ取り出す配線が通る取り出し口８７ｂが、ゴム部材等により構成される。
【００４１】
上面カバー８７は、基板ボックス３の載置部８３に形成された一の取り付け孔８３ａと対応する位置に、図示しない取り付け孔が形成され、この取り付け孔に通したネジ９１を、基板ボックス３の取り付け孔８３ａを通して本体ケース２のネジ孔７３ａに締結することで、基板ボックス３が上面カバー８７と共に本体ケース２に固定される。なお、基板ボックス３は、取り付け片部８５に図示しないネジを通して本体ケース２のネジ孔７４ａに締結することで、本体ケース２に固定される。
【００４２】
また、基板ボックス３は、上面カバー８７に端子台８８を備える。端子台８８には、複数の接続端子が取り付けられ、基板ボックス３の内部から、取り出し口８７を通して外部に取り出された図示しない配線が接続される。また、後述するリモートコントロールスイッチ等の操作部からの配線が接続される。
【００４３】
更に、基板ボックス３は、端子台８８を覆う端子台カバー８９が上面カバー８７に取り付けられる。
【００４４】
端子台カバー８９は、基板ボックス３の載置部８３に形成された他の取り付け孔８３ａと対応する位置に、図示しない取り付け孔が形成され、この取り付け孔に通したネジ９２を、上面カバー８７及び基板ボックス３の取り付け孔８３ａを通して本体ケース２のネジ孔７３ａに締結することで、基板ボックス３及び上面カバー８７と共に本体ケース２に固定される。
【００４５】
また、端子台カバー８９は、本体ケース２の天板７０に形成されたネジ孔７０ａと対応する位置に図示しない取り付け孔が形成され、この取り付け孔に通したネジ９３をネジ孔７０ａに締結することで、本体ケース２に固定される。
【００４６】
図３及び図４は、基板ボックスの取り付け構造の詳細を示す要部断面図である。基板ボックス３は、本体ケース２の基板ボックス取り付け部７２と、載置部８３との合わせ面の全周に、図４に示すようにシール部材９４が貼り付けられ、基板ボックス３の載置部８３が、基板ボックス取り付け部７２の基板ボックス載置面７３に載置される。
【００４７】
これにより、基板ボックス３は、収納空間８２の略全体が本体ケース２内に入り、載置部８３から上の開口部８１が本体ケース２の上面に露出する。そして、上面カバー８７を上述したようにネジ９１で取り付けることで、上面カバー８７と共に基板ボックス３は本体ケース２に固定される。
【００４８】
基板ボックス３は、上面カバー８７が取り付けられると、上面カバー８７の開口部８７ａから配線導入部８６が露出し、基板ボックス３の内部と外部が、配線導入部８６で連通する。
【００４９】
空調装置１Ａは、送風装置１０に接続される配線部材９５として、換気ファンモータ２０ａ及び循環ファンモータ３０ａ等の各モータと接続される配線、ヒータ３６と接続される配線、及び図示しないセンサ等と接続される配線が、配線口７４ｂを通して本体ケース２の外部へ取り出される。
【００５０】
ここで、配線口７４ｂには、配線部材９５が通るゴムブッシュ９６が取り付けられ、本体ケース２内から配線口７４ｂを通して湿気が漏れることを抑えている。
【００５１】
そして、本体ケース２の内部から、配線口７４ｂを通して外部に取り出された配線部材９５は、配線導入部８６を通して基板ボックス３内に導入され、基板４と接続される。
【００５２】
なお、上述した例では、基板ボックス３は、載置部８３から上の開口部８１が本体ケース２の上面に露出する形態としたが、本体ケース２内の空間の高さ等に応じて、基板ボックスの上部が本体ケースの上面から露出するような形態でも良く、基板ボックスの本体ケースから露出している上部側面に、配線導入部を形成しても良い。
【００５３】
また、空調装置としては、換気機能と暖房機能等を併せ持つ装置としたが、換気機能のみを備えた換気装置等に適用しても良い。
【００５４】
＜本実施の形態の空調装置の設置例＞
図５は、空調装置の設置例を示す浴室の構成図である。空調装置１Ａは、浴室１００の天井に設置される。浴室１００の天井パネルには、図１等で説明した空調装置１Ａの本体ケース２が入る開口部が形成され、空調装置１Ａは、フロントパネル６が露出するようにして、天井裏から吊り下げる形態、あるいは天井パネルに固定する形態等で取り付けられる。
【００５５】
浴室１００の天井に取り付けられた空調装置１Ａは、排気口５１に排気ダクトジョイント５１ａが取り付けられ、排気ダクトジョイント５１ａに排気ダクト１１０が接続される。排気ダクト１１０は、図示しない建物の外壁１０１に取り付けた屋外グリル１１０ａに接続され、空調装置１Ａで浴室１００等から吸い込んだ空気を、排気ダクト１１０を介して屋外に排気できる構成となっている。
【００５６】
また、空調装置１Ａは、副吸込口５２に副吸込ダクトジョイント５２ａが取り付けられ、副吸込ダクトジョイント５２ａに副吸込ダクト１１１が接続される。副吸込ダクト１１１は、洗面所１０２に設置された副吸込グリル１１１ａに接続されて、洗面所１０２から空気を吸い込める構成となっている。なお、副吸込グリル１１１ａは、図示しないトイレに備えても良い。
【００５７】
空調装置１Ａは、浴室１００に隣接した洗面所１０２に設置された操作部９の操作で、例えば、暖房運転モード、換気運転モード、乾燥運転モード及び涼風運転モードを実行する。
【００５８】
＜本実施の形態の空調装置の動作例＞
次に、本実施の形態の空調装置の動作を、各図を参照して説明する。
【００５９】
空調装置１Ａで実行される暖房運転モードは、吸込口５を図示しないダンパで閉じ、循環ファンユニット１３の循環ファンモータ３０ａを駆動すると共に、ヒータ３６に通電する。
【００６０】
循環ファンモータ３０ａによりファン３０が回転駆動されると、フロントパネル６の吸込グリル６０から、循環ファンユニット１３のファン吸込口３１ａへ浴室１００の空気が吸い込まれる。ヒータ３６に通電されると、吹出口風路３５を通る空気が加熱され、フロントパネル６の吹出グリル６１から温風が吹き出す。これにより、暖房運転モードでは、浴室１００の空気を循環させながら、温風が吹き出されて、浴室１００の暖房が行われる。
【００６１】
空調装置１Ａで実行される換気運転モードは、吸込口５を図示しないダンパで開き、換気ファンユニット１２の換気ファンモータ２０ａを駆動する。
【００６２】
換気ファンモータ２０ａによりファン２０が回転駆動されると、フロントパネル６の吸込グリル６０から、主吸込風路５０ａを通り換気ファンユニット１２のファン吸込口２１ａへ浴室１００の空気が吸い込まれる。
【００６３】
また、洗面所１０２等の空気が、副吸込グリル１１１ａから副吸込ダクト１１１を通り、副吸込口５２から副吸込風路５０ｂを通って換気ファンユニット１２のファン吸込口２１ａへ吸い込まれる。
【００６４】
換気ファンユニット１２に吸い込まれた空気は、換気ファンケース２１のファン吹出口２１ｂから吹き出されて、排気口５１から排出され、排気ダクト１１０を通り屋外グリル１１０ａから屋外へ排気される。これにより、換気運転モードでは、浴室１００及び他室の空気を屋外に排気して、浴室１００の換気が行われる。
【００６５】
空調装置１Ａで実行される乾燥運転モードは、循環ファンユニット１３の循環ファンモータ３０ａを駆動すると共に、ヒータ３６に通電する。また、吸込口５を図示しないダンパで開き、換気ファンユニット１２の換気ファンモータ２０ａを駆動する。
【００６６】
これにより、乾燥運転モードでは、浴室１００内の空気を循環させて浴室１００内に温風を吹き出しながら、浴室１００内の湯気や湿気が排気されて、浴室１００や洗濯物等が乾燥される。
【００６７】
空調装置１Ａで実行される涼風運転モードは、ヒータ３６は通電せずに、循環ファンユニット１３の循環ファンモータ３０ａを駆動する。また、吸込口５を図示しないダンパで開き、換気ファンユニット１２の換気ファンモータ２０ａを駆動する。
【００６８】
これにより、涼風運転モードでは、浴室１００内の空気を循環させて浴室１００内に送風しながら、浴室１００内の湯気や湿気が排気される。
【００６９】
さて、空調装置１Ａでは、吸込口５を介して本体ケース２の内部が浴室１００と連通している。このため、本体ケース２内には、浴室１００の湿気が浸入している。
【００７０】
これに対して、送風装置１０の各種モータ等を制御する基板４は、水分に弱いので、防水対策を施す必要がある。そこで、基板４を基板ボックス３に収納して、本体ケース２に取り付けている。
【００７１】
更に、送風装置１０と接続される配線部材９５を、本体ケース２の配線口７４ｂを通して外部へと取り出し、本体ケース２の内部から配線口７４ｂを通して外部に取り出された配線部材９５を、配線導入部８６を通して基板ボックス３内に導入して、基板４と接続している。
【００７２】
これにより、基板ボックス２の収納空間８２が本体ケース２の内部と直接連通しないので、本体ケース２内からの湿気が基板ボックス３内に浸入することを防ぐことができる。
【００７３】
なお、配線導入部８６は、基板ボックス３の上面において収納空間８２と外部とを連通しているので、基板４に搭載された素子で発生した熱を、この配線導入部８６を通して外部に放出することができ、基板ボックス３内に熱がこもらないようにすることができる。
【００７４】
更に、配線導入部８６で基板ボックス３内が外部と連通することで、冬季に空調装置１Ａが使用される場合に、基板ボックス３内の空気が冷やされて結露が生じることを防ぐことができる。
【００７５】
また、基板ボックス３は一体構造であるので、本体ケース２内に収納されている部分から湿気が浸入することはない。
【００７６】
更に、配線口７４ｂから本体ケース２内の湿気が漏れたとしても、基板ボックス３は、配線口７４ｂが形成された傾斜天板７４に面した側の辺の全幅に亘って水切り板８４が立設した形態で設けられているので、水分が水切り板８４を超えて配線導入部８６に浸入することが防止される。
【００７７】
また、基板ボックス３は、本体ケース２の基板ボックス取り付け部７２と、載置部８３との合わせ面の全周に、図４に示すようにシール部材９４が貼り付けられており、基板ボックス３と本体ケース２の合わせ面から、本体ケース２内の湿気が漏れることを防いでいる。
【００７８】
このように、基板ボックス３を本体ケース２の内部に収納しても、基板ボックス３内への湿気や水分の浸入を防ぐことができることから、基板ボックス３を本体ケース２内に収納して、高さ方向の小型化を図ることが出来る高信頼性を有した空調装置１Ａを提供できる。
【産業上の利用可能性】
【００７９】
本発明は、浴室等の天井裏に設置される浴室暖房換気乾燥装置や換気装置等の空調装置に適用される。
【図面の簡単な説明】
【００８０】
【図１】本実施の形態の空調装置の一例を示す分解斜視図である。
【図２】本実施の形態の空調装置の一例を示す側断面図である。
【図３】基板ボックスの取り付け構造の詳細を示す要部断面図である。
【図４】基板ボックスの取り付け構造の詳細を示す要部断面図である。
【図５】空調装置の設置例を示す浴室の構成図である。
【符号の説明】
【００８１】
１Ａ・・・空調装置、１０・・・送風装置、１２・・・換気ファンユニット、１３・・・循環ファンユニット、２・・・本体ケース、３・・・基板ボックス、４・・・基板、７２・・・基板ボックス取り付け部、７４ｂ・・・配線口、８６・・・配線導入部、９５・・・配線部材、１００・・・浴室
【図１】
2008107037.tif 000003
【図２】
2008107037.tif 000004
【図３】
2008107037.tif 000005
【図４】
2008107037.tif 000006
【図５】
2008107037.tif 000007